(57)【特許請求の範囲】
【請求項１】
ダイの第１の面の上の、第１の特性を有する第１の素子と、
前記第１の素子の上方の第１の層と、
前記第１の層にパターニングされた第１の形状と、を備え、
第１の応力が前記第１の素子に対して第１の方向に加えられ、
前記第１の形状は、第２の応力が前記第１の素子に対して第２の方向に加えられ、前記第１の応力に起因する前記第１の素子の前記第１の特性における変化が少なくとも前記第２の応力によって低減されるようにパターニングされている、
ことを特徴とする圧力センサ。
【請求項２】
前記第２の応力は、前記第２の方向における前記第１の形状の外形によって定められる、
ことを特徴とする請求項１に記載の圧力センサ。
【請求項３】
前記第１の応力に起因する前記第１の素子の前記第１の特性における前記変化は、前記第２の応力によってほぼ相殺される、
ことを特徴とする請求項１に記載の圧力センサ。
【請求項４】
前記第１の方向における前記第１の応力は、第１のソースによって前記第１の素子に加えられる、
ことを特徴とする請求項１に記載の圧力センサ。
【請求項５】
前記第１のソースは、第２の層の第２の形状、第２の素子、および前記圧力センサのためのパッケージのうちの１つである、
ことを特徴とする請求項４に記載の圧力センサ。
【請求項６】
前記第１の方向における前記第１の応力は、前記第１の層における前記第１の形状によって前記第１の素子に対して加えられる、
ことを特徴とする請求項１に記載の圧力センサ。
【請求項７】
前記第１の素子は拡散抵抗を備える、
ことを特徴とする請求項１に記載の圧力センサ。
【請求項８】
前記第１の素子は、低濃度ドープの抵抗である、
ことを特徴とする請求項１に記載の圧力センサ。
【請求項９】
前記第１の素子の前記第１の特性における前記変化は、抵抗の抵抗値の変化である、
ことを特徴とする請求項１に記載の圧力センサ。
【請求項１０】
前記第１の方向および前記第２の方向は、前記第１の素子の前記第１の特性における前記変化を最小化するように決定された任意の角度関係を有する、
ことを特徴とする請求項１に記載の圧力センサ。
【請求項１１】
前記第１の素子はＭＯＳＦＥＴである、
ことを特徴とする請求項１に記載の圧力センサ。
【請求項１２】
前記第１の素子はＭＯＳＦＥＴであり、
前記第１の素子の前記第１の特性における前記変化は、前記ＭＯＳＦＥＴのモビリティにおける変化である、
ことを特徴とする請求項１に記載の圧力センサ。
【請求項１３】
前記第１の層はポリシリコン層である、
ことを特徴とする請求項１に記載の圧力センサ。
【請求項１４】
前記第１の層はメタル層である、
ことを特徴とする請求項１に記載の圧力センサ。
【請求項１５】
前記第１の層は、酸化層または窒化層である、
ことを特徴とする請求項１に記載の圧力センサ。
【請求項１６】
前記第１の方向と前記第２の方向とは、少なくとも略直交している、
ことを特徴とする請求項１に記載の圧力センサ。
【請求項１７】
フレームによって取り囲まれたダイヤフラムと、
前記ダイヤフラムの上に又は少なくとも前記ダイヤフラムの近くに位置する抵抗と、
前記抵抗の上の第１の層と、
前記第１の層に形成された第１の形状と、を備え、
第１の応力は、前記抵抗に対して第１の方向に加えられ、かつ、前記第１の形状は、前記第１の形状が第２の応力を前記抵抗に対して第２の方向に加えるように前記抵抗の上に形成され、
前記第２の応力は、前記第１の応力によって生じた前記抵抗の抵抗値の変化を低減する、
ことを特徴とする圧力センサ。
【請求項１８】
前記第１の方向における前記第１の応力は、第１のソースによって前記抵抗に対して加えられる、
ことを特徴とする請求項１７に記載の圧力センサ。
【請求項１９】
前記第１のソースは、第２の層における第２の形状、第１の素子、および前記圧力センサのためのパッケージのうちの１つである、
ことを特徴とする請求項１８に記載の圧力センサ。
【請求項２０】
前記第１の方向における前記第１の応力は、前記第１の層における前記第１の形状によって前記抵抗に対して加えられる、
ことを特徴とする請求項１７に記載の圧力センサ。
【請求項２１】
前記第１の形状は、外形において略長方形である、
ことを特徴とする請求項１７に記載の圧力センサ。
【請求項２２】
前記第１の形状は、複数の開口を含む、
ことを特徴とする請求項１７に記載の圧力センサ。
【請求項２３】
前記抵抗は、Ｎ型領域の中の低濃度ドープのＰ型抵抗である、
ことを特徴とする請求項１７に記載の圧力センサ。
【請求項２４】
前記第１の層は、ポリシリコン層である、
ことを特徴とする請求項２３に記載の圧力センサ。
【請求項２５】
前記抵抗は、ホイートストン・ブリッジにおける抵抗である、
ことを特徴とする請求項２４に記載の圧力センサ。
【請求項２６】
ウエハの第１の面の上に、第１の抵抗値を有する第１の抵抗を形成する工程と、
前記第１の抵抗の上方に第１の層を形成する工程と、
前記第１の層に第１の形状を形成する工程と、を有し、
第１の応力が、前記第１の抵抗に対して第１の方向に加えられ、
前記第１の形状は、前記第１の抵抗に対して第２の方向に加えられる第２の応力を、前記第１の応力に起因する前記第１の抵抗の前記第１の抵抗値における変化が少なくとも前記第２の応力によって低減されるように生じさせる、
ことを特徴とする圧力センサの製造方法。
【請求項２７】
前記第１の方向における前記第１の応力は、第１のソースによって前記第１の抵抗に対して加えられる、
ことを特徴とする請求項２６に記載の圧力センサの製造方法。
【請求項２８】
前記第１のソースは、第２の層における第２の形状、第１の素子、および前記圧力センサのためのパッケージのうちの１つである、
ことを特徴とする請求項２７に記載の圧力センサの製造方法。
【請求項２９】
前記第１の方向における前記第１の応力は、前記第１の層における前記第１の形状によって前記第１の抵抗に対して加えられる、
ことを特徴とする請求項２６に記載の圧力センサの製造方法。
【請求項３０】
前記第１の抵抗は、Ｎ型領域の中に位置する低濃度ドープのＰ型抵抗である、
ことを特徴とする請求項２６に記載の圧力センサの製造方法。
【請求項３１】
前記第１の層は、ポリシリコン層である、
ことを特徴とする請求項２６に記載の圧力センサの製造方法。
【請求項３２】
前記第１の形状は、複数の開口を含む、
ことを特徴とする請求項２６に記載の圧力センサの製造方法。
【請求項３３】
前記第１の方向と前記第２の方向とは、少なくとも略直交している、
ことを特徴とする請求項２６に記載の圧力センサの製造方法。
【請求項３４】
前記第１の方向および前記第２の方向は、前記第１の抵抗の前記第１の抵抗値における前記変化を最小化するように決定された任意の角度関係を有する、
ことを特徴とする請求項２６に記載の圧力センサの製造方法。
【請求項３５】
前記第１の形状は開口を含む、
ことを特徴とする請求項１に記載の圧力センサ。
【請求項３６】
前記第１の形状は複数の開口を含む、
ことを特徴とする請求項１に記載の圧力センサ。
【請求項３７】
前記第１の形状は開口を含む、
ことを特徴とする請求項１７に記載の圧力センサ。
【請求項３８】
前記第１の形状は開口を含む、
ことを特徴とする請求項２６に記載の圧力センサの製造方法。
【発明の詳細な説明】
【技術分野】
【０００１】
関連出願
本願は、２０１１年２月１６日出願の米国特許出願第１３／０２９，１１４号の優先権を主張し、これを参照して本明細書に組み込んだものとする。
【背景技術】
【０００２】
圧力センサは、いくつかの新型の製品への適用があり、この何年かで一般的なものになった。圧力センサは、自動車用、産業用、民生用および医療用品に利用され、需要が急増し、減少する気配がない。
【０００３】
圧力センサは、一般には、フレームにより支持されたダイヤフラムを含む。圧力センサが圧力を検知したとき、ダイヤフラムは外形が変化することによって反応する。このことは、ダイヤフラム上の電子部品の１またはそれ以上の特性に変化をもたらす。これらの変化する特性は測定され得、該圧力から決定されうる。
【０００４】
多くの場合、該電子部品は、ダイヤフラムの上に位置したホイートストン・ブリッジとして構成された抵抗である。ダイヤフラムは圧力に起因して歪曲するため、該抵抗の抵抗値は変化する。この変化はホイートストン・ブリッジの出力をもたらし、これにより圧力が測定されうる。
【０００５】
あいにく、他の要素がこれらの素子（ｃｏｍｐｏｎｅｎｔ）の特性に変化をもたらす。例えば、様々な層または他の素子は、抵抗のような素子に対して加わる応力をもたらし、これらの値を変化させる。また、圧力センサの製造に用いられる様々な層は、シリコンとは異なる熱膨張の係数を有しうる。圧力センサが温度変化するとき、これらの層は、該素子に対する異なる応力をもたらしうる。例えば、１又はそれ以上のこれらの層は、ホイートストン・ブリッジにおける抵抗に応力をもたらしうる。これらの応力は、それらの抵抗値を変化させ得、及び／又は、ダイヤフラムを変形させ得、それによって、圧力が加わっていないときでもホイートストン・ブリッジの出力をもたらす。入力圧力がないときのこの出力信号は、オフセットとして参照されうる。さらに、温度による応力の変化のため、該オフセットも温度に応じて変化し得、これは、オフセットの温度係数として参照される。
【０００６】
該オフセットや他の不整合は、エラー、斜行圧測、および圧力センサの実用性の限界をもたらしうる。該オフセットおよびオフセットの温度係数に起因する該エラーを低減するのに、高価な外部補償が必要とされうる。
【０００７】
よって、必要とされるのは、様々な層に起因する応力による変形が低減された素子および製造プロセスに含まれる素子を有する圧力センサを具備する回路、方法および装置である。
【発明の概要】
【０００８】
結果的に、本発明の実施形態は、様々な層に起因する応力による変形が低減された素子および製造プロセスに含まれる素子を有する圧力センサを提供する。
【０００９】
本発明の１つの典型的な実施形態では、第１の方向における第１の応力は、素子の特性における変化をもたらす。第２の方向における第２の応力が加えられることにより、該素子の特性における該変化が低減する。第２の方向は、該素子の特性を最小化するように定められた任意の方向でありうる。
【００１０】
本発明の１つの典型的な実施形態では、該素子は拡散抵抗である。結晶シリコンに拡散された抵抗に対するこの影響の数学的な記載は、図１５に示される。本発明の他の実施形態では、該素子は、注入されたポリシリコン若しくは他のタイプの抵抗、キャパシタ、トランジスタ、ダイオード、又は他の能動若しくは受動素子でありうる。
【００１１】
本発明の他の典型的な実施形態では、第１の応力は、該素子の上方のポリシリコン層に形成された形状（ｇｅｏｍｅｔｒｙ）により生じる。本発明の他の実施形態では、第１の応力は、他の層における形状によって、圧力センサの一部として形成された他の能動又は受動素子によって、又は、デバイスパッケージから生じた影響のような他の影響によって、生じうる。
【００１２】
本発明の他の典型的な実施形態では、該素子の上方のポリシリコン層に形成された形状のサイズ及び／又は外形は、第１の応力により生じた該素子の特性の変化が、第２の応力が加えられることによって低減されるように調整される。本発明の他の実施形態では、第２の応力は、他の層によって、圧力センサの一部として形成された他の能動又は受動素子によって、又は、デバイスパッケージから生じた影響のような他の影響によって、生じうる。
【００１３】
本発明の多様な実施形態では、ポリシリコンや他の層に形成され、素子の変化を低減するような大きさに形成された形状は、多様な外形を有しうる。本発明の多様な実施形態では、これらの形状は、長方形、正方形、円形、又は他の外形を有しうる。本発明の多様な実施形態では、これらは、１又はそれ以上の開口又はギャップを有しうる。さらに、これらの形状は、典型的には近接するところ、応力に敏感な部材から離れて位置する。
【００１４】
本発明の多様な実施形態は、１又はそれ以上の上記特徴と、以下に記載されたその他の特徴とを包含しうる。本発明の本質および利点の更なる理解は、以下の詳細な記載および添付図面を参照することにより得られうる。
【図面の簡単な説明】
【００１５】
【図１】ポリシリコン層に形成された形状に起因する第１の方向の第１の応力を受けた抵抗の側面図。
【図２】ポリシリコン層に形成された形状に起因する第１の方向の第１の応力を受けた抵抗の上面図。
【図３】第１の方向の第１の応力および第２の方向の第２の応力を受ける抵抗を描いた図。
【図４】本発明の１つの実施形態に基づく素子の特性の変化を低減する方法のフローチャート。
【図５】第１の方向の第１の応力および第２の方向の第２の応力を受ける抵抗を描いた図。
【図６】本発明の１つの実施形態に基づく素子の特性の変化を低減する方法のフローチャート。
【図７】本発明の１つの実施形態に基づくポリシリコン層に形成された形状を描いた図。
【図８】本発明の１つの実施形態に基づくポリシリコン層に形成された他の形状を描いた図。
【図９】本発明の１つの実施形態に基づく圧力センサのダイヤフラムの上に位置するホイートストン・ブリッジにおける抵抗を、線形構成における２つの抵抗対および折り畳み構造における他の２つの抵抗対と共に描いた図。
【図１０】本発明の１つの実施形態に基づく線形抵抗構造における抵抗対の上方に位置しうるポリシリコン形状を描いた図。
【図１１】本発明の１つの実施形態に基づく折り畳み抵抗構造における他の抵抗対の上方に位置しうるポリシリコン形状を描いた図。
【図１２】ポリシリコン形状を含み、線形抵抗構造及び折り畳み抵抗構造の双方における抵抗を包含するダイヤフラムの一部を描いた図。
【図１３】本発明の１つの実施形態に基づく線形構造における抵抗に接続するのに用いられた低抵抗領域を描いた図。
【図１４】本発明の１つの実施形態に基づく折り畳み構造における抵抗に接続するのに用いられた低抵抗領域を描いた図。
【図１５】抵抗の位置における応力のバランスを取ることにより、応力に起因する結晶シリコンに拡散された抵抗における変化を最小化するための数学的な記載を描いた図。
【発明を実施するための形態】
【００１６】
図１は、ポリシリコン層に形成された形状に起因する第１の方向の第１の応力を受けた抵抗の側面図である。この図は、他の図と同様、例示を目的とするものであり、本発明の為しうる実施形態およびクレームを制限するものではない。
【００１７】
この図において、低濃度ドープのＰ型抵抗１２０は、Ｎ型ウエル１３０の中に位置しうる。ウエル１３０は、圧力センサのダイヤフラムとなりうる基板１１０の中に存在しうる。基板１１０は、Ｐ型部材で形成されうる。抵抗１２０は、ポリシリコン層１４０で覆われうる。
【００１８】
ポリシリコン層１４０は、電荷トラップや電荷移動のような外部の影響から抵抗１２０を保護するためのシールドとして用いられうる。そのため、ポリシリコン層１４０は、ウエル１３０に電気的に接続され得、及び、適切なバイアスまたは電圧供給のような低インピーダンスに電気的に接続されうる。
【００１９】
典型的には、圧力センサのダイヤフラム全体をポリシリコン層１４０で覆わないことが望ましい。このことは、圧力センサの感度を低減させうるからである。また、ポリシリコン層１４０の分離部を、該分離部が電気的に接続されないように、ダイヤフラムの上の各抵抗の上方に有することが望ましい。このようにして、各抵抗に関連付けられたポリシリコンは、該抵抗のウエルに個々に関係し得、それにより、電圧の影響を低減し、デバイスの整合を向上させる。そこで、典型的には、抵抗１２０の上方の領域のような保護されるべき特定の領域のみがポリシリコン層１４０で覆われる。
【００２０】
あいにく、該層における応力および応力勾配に起因して、ポリシリコン層１４０に形成された形状は、本質的に、反り、撓り、又は外形が変形しうる。この撓りは、第１の方向における応力１５０をもたらしうる。この応力は、抵抗１２０の抵抗値を変化させうる。この変化は、圧力センサのオフセット信号をもたらしうる。ポリシリコン層１４０は、さらに、抵抗１２０を含むシリコンとは異なる膨張係数を有しうる。熱係数におけるこの変化は、抵抗１２０の抵抗値を温度に応じて変化させうる。非繰り返し性や、オフセットの温度ヒステリシスに知られる温度に応じて変化するオフセットのヒステリシスのような他の効果もまた同様である。そこで、本発明の実施形態は、抵抗１２０の抵抗値の変化のような素子の変化を低減する第２の応力を適用する。
【００２１】
これらの例では、変化を受けた素子は、低濃度ドープのＰ型抵抗１２０である。本発明の他の実施形態では、該素子は、注入された抵抗のような他のタイプの抵抗、キャパシタ、ダイオード、トランジスタ、又は、他の能動もしくは受動素子でありうる。さらに、この例では、第１の応力は、ポリシリコン層１４０における形状から生じる。本発明の他の実施形態では、シリコン酸化物、シリコン窒化物、金属、又は、その他の層のような他の層が、抵抗１２０への応力をもたらしうる。本発明のさらに他の実施形態では、他の能動もしくは受動素子、又はデバイスパッケージが、抵抗１２０への応力をもたらしうる。再び、抵抗１２０は、圧力センサのダイヤフラムの中に位置するホイートストン・ブリッジにおける抵抗でありうる。このことや他に含まれる例では、抵抗および他の層はシリコンベースのプロセスの一部であるが、本発明の他の実施形態はシリコンゲルマニウムのような他のプロセスや、その他のタイプのプロセスにも有用である。
【００２２】
図２は、ポリシリコン層に形成された形状に起因する第１の方向の第１の応力を受けた抵抗の上面図である。この例では、抵抗２２０はウエル２３０の中に存在する。ポリシリコン層２４０は、抵抗２２０を覆っており、抵抗２２０に対して第１の方向に応力２５０を加えている。
【００２３】
再び、抵抗２２０に対して第１の方向に加えられた応力２５０は、抵抗２２０の抵抗値における変化をもたらしうる。これらの変化は、オフセット、熱的な不整合およびその他の誤差をもたらしうる。そこで、本発明の１つの実施形態は、この変化を低減するために第２の応力を第２の方向に加える。１つの例が以下の図に示される。
【００２４】
図３は、第１の方向の第１の応力および第２の方向の第２の応力を受ける抵抗を描いている。この例では、第１の応力はポリシリコン層３４０に起因するが、本発明の他の実施形態では第１の応力は他の原因を有しうる。第２の方向における第２の応力３６０は、抵抗３２０の抵抗値の変化を低減するために加えられる。この特定の例においては、第２の応力は、第１の応力に対して少なくとも略直交するように示されているが、本発明の他の実施形態では、２つの応力は、素子の特性を最小化するように定められた異なる関係を有しうる。また、本発明の他の実施形態では、さらに第３の応力が抵抗３２０に対して加えられうる。本発明のさらに他の実施形態では、４又はそれ以上の応力が抵抗３２０に対して加えられうる。
【００２５】
本発明の多様な実施形態では、第１の応力および第２の応力は、素子の変化を最小化することを試みて加えられる。本発明の他の実施形態では、２又はそれ以上の応力が、正味の変化が保たれるように、相対的に調整されうる。この変化は、これにより、他の応力の影響により、さらに相殺され、低減されうる。例えば、デバイスパッケージのような影響が応力をもたらすことが知られているとしたときに、応力が加わった該パッケージを補償するように、ポリシリコン層により生じた２又はそれ以上の応力が適用されうる。
【００２６】
第２の応力が加えられたことによる変化を低減する方法を描いたフローチャートが、以下の図に示される。
【００２７】
図４は、本発明の１つの実施形態に基づく素子の特性の変化を低減する方法のフローチャートである。アクト４１０では、第１の素子が、シリコンウエハの第１の面の上に形成される。この第１の素子は、抵抗またはその他のタイプの能動もしくは受動素子でありうる。ウエハは、ダイヤフラムもしくは圧力センサの他の部分または他の電子部品でありうる。アクト４２０では、第１の層が、第１の素子の上方に形成される。前述のとおり、これは、ポリシリコン層または他のタイプの層でありうる。アクト４３０では、第１の層がパターニングされて、第１の素子の上方に、第１の応力が該素子に対して第１の方向に加えられるように第１の形状を形成する。アクト４４０では、第２の応力が、第１の応力に起因する第１の素子における変化が第２の応力によって低減されるように、該素子に対して第２の方向に加えられる。
【００２８】
本発明の多様な実施形態では、第２の応力は、１又はそれ以上の異なる原因を有しうる。例えば、第２の応力は、ポリシリコン層１４０において生じうる。本発明の他の実施形態では、第２の応力は、他の層、又は、他の能動もしくは受動素子において生じうる。本発明の他の実施形態では、第２の応力は、パッケージまたは他の起源のような他の起源から生じうる。本発明の特定の実施形態では、素子の上方のポリシリコンの形状は、第１の応力により生じた１又はそれ以上の素子の特性の変化を低減するために変形される。１つの例が以下の図に示される。
【００２９】
図５は、第１の方向の第１の応力および第２の方向の第２の応力を受ける抵抗を描いている。この例では、ポリシリコン層５４０が、第２の方向における第２の応力５６０を生成するために、ある大きさに形成されている。前述のとおり、ポリシリコン層５４０は、第１の応力５５０を抵抗５２０に対して第１の方向に加える。第２の応力５６０を含むことは、抵抗５２０の抵抗値における変化を低減する。
【００３０】
図６は、本発明の１つの実施形態に基づく素子の特性の変化を低減する方法のフローチャートである。アクト６１０では、素子がウエハの第１の面に形成される。アクト６２０では、第１の層が第１の素子の上方に形成される。アクト６３０では、第１の層がパターニングされて、第１の素子の上方に、第１の応力が該素子に対して第１の方向に加えられるように第１の形状を形成する。アクト６４０では、第１の形状がパターニングされて、素子の特性の変化が低減されるように、第２の応力を第１の素子に対して第２の方向に加える。
【００３１】
上述の例では、ポリシリコン層５４０は立体幾何学（ｓｏｌｉｄ  ｇｅｏｍｅｔｒｙ）であるとして示される。本発明の他の実施形態では、これらの形状は、１又はそれ以上の開口を含みうる。これらの開口は、素子の特定の部分に対する直接的な応力にとって有用でありうる。それらは、注入、拡散、ボンディングのような他の製造工程において、又は、その他の理由においても有用でありうる。１つの例が以下の図に示される。
【００３２】
図７は、本発明の１つの実施形態に基づくポリシリコン層に形成された形状を描いている。この形状は、抵抗７２０の上方に存在し、開口７７０を有する。この形状は、第１の方向における第１の応力７５０および第２の方向における第２の応力７６０を抵抗７２０にもたらす。２つの応力の正味の結果は、抵抗７２０の抵抗値の低減された変化となる。
【００３３】
図８は、本発明の１つの実施形態に基づくポリシリコン層８４０に形成された他の形状を描いている。この例では、該形状は開口８７０を含む。前述のとおり、この形状は、第１の方向における第１の応力８５０および第２の方向における第２の応力８６０を抵抗８２０にもたらす。前述のとおり、第２の応力８６０は、素子８２０における変化を低減し、又は、消去する。
【００３４】
再び、これらの抵抗は、圧力センサのダイヤフラムの上に位置するホイートストン・ブリッジにおける抵抗でありうる。これらの抵抗は、個々の抵抗であり得、又は、抵抗の直列もしくは並列の組み合わせの一部でありうる。例えば、これらは、ホイートストン・ブリッジの抵抗を形成する抵抗対における、２つの抵抗の一連の抵抗でありうる。１つの例が以下の図に示される。
【００３５】
図９は、本発明の１つの実施形態に基づく圧力センサのダイヤフラムの上に位置するホイートストン・ブリッジにおける抵抗を描いている。この例では、抵抗対９３０が、検出ダイヤフラムの上部および下部に示されており、抵抗対９４０が、該ダイヤフラムの左側および右側に示されている。ダイヤフラムの上部および下部の抵抗対９３０は、一連の２つの線形抵抗で形成され、ダイヤフラムの左側および右側の抵抗対９４０は、２つの折り畳み抵抗で形成されている。この例では、ダイヤフラムの上および下に位置する抵抗は、第１のポリシリコン形状に関連付けられ、ダイヤフラムの左および右に位置する抵抗は、第２のポリシリコン形状に関連付けられる。いくつかの例が、以下の２つの図に示される。
【００３６】
図１０は、本発明の１つの実施形態に基づく抵抗対の上方に位置しうるポリシリコン形状を描いている。ポリシリコン形状１０４０は開口１０７０を含む。ポリシリコン形状１０４０は抵抗１０２０を覆っている。
【００３７】
図１１は、本発明の１つの実施形態に基づく他の抵抗対の上方に位置しうるポリシリコン形状を描いている。ポリシリコン形状１１４０は開口１１７０を含む。ポリシリコン形状１１４０は抵抗１１２０を覆っている。
【００３８】
図１２は、ポリシリコン形状１２３０及び１２４０を含むダイヤフラムの一部１２１０を描いている。これらのポリシリコン形状１２３０及び１２４０は、図９の例における抵抗９２０を覆うのに用いられうる。
【００３９】
本発明の多様な実施形態では、ダイヤフラム１２１０のようなダイヤフラムの上方にメタル配線を経由させることは、熱的ヒステリシスをもたらしうるため、好ましくない。そこで、Ｐ＋部材で形成された極低抵抗領域が、抵抗９２０のような抵抗に接続するのに用いられうる。いくつかの例が以下の図に示される。
【００４０】
図１３は、本発明の１つの実施形態に基づく線形構造における抵抗対に接続するのに用いられた低抵抗領域を描いている。この例では、低抵抗領域１３５０及び１３６０は、抵抗１３２０と互いに接続し、抵抗１３２０を他の相互接続ライン（不図示）に接続するのに用いられる。
【００４１】
図１４は、本発明の１つの実施形態に基づく折り畳み構造における抵抗対に接続するのに用いられた低抵抗領域を描いている。この例では、低抵抗領域１４５０及び１４６０は、抵抗１４２０と互いに接続し、抵抗１４２０を他の相互接続ライン（不図示）に接続するのに用いられる。
【００４２】
図１５は、抵抗の位置における応力のバランスを取ることにより、応力に起因する結晶シリコンに拡散された抵抗における変化を最小化するための数学的な記載を描いている。
【００４３】
本発明の実施形態の上記記載は、図示および説明を目的として示されたものである。本発明は、上述の実施形態がその全てではなく、又は、記載された厳格な型式に制限されるものではなく、また、上記示唆を踏まえて多くの改良および変更が可能なものである。実施形態は、発明の原理およびその実用的応用を最もよく説明するために選ばれて記載され、それによって、当業者が、予測される特定の用途に適用されるように、多様な実施形態で、且つ、多様な改良を伴って実施形態の発明をよく活用することを可能にしている。よって、発明は、以下のクレームの範囲内で、全ての改良物および均等物を含むと考えるとよい。
【図１】
0005775609.tif 000002
【図２】
0005775609.tif 000003
【図３】
0005775609.tif 000004
【図４】
0005775609.tif 000005
【図５】
0005775609.tif 000006
【図６】
0005775609.tif 000007
【図７】
0005775609.tif 000008
【図８】
0005775609.tif 000009
【図９】
0005775609.tif 000010
【図１０】
0005775609.tif 000011
【図１１】
0005775609.tif 000012
【図１２】
0005775609.tif 000013
【図１３】
0005775609.tif 000014
【図１４】
0005775609.tif 000015
【図１５】
0005775609.tif 000016